(57)【要約】【課題】一次局が測定するための連続するアップリンクチャネルがなく、一次局にダウンリンク経路損失又はユーザ装置ＵＥの送信電力を知らせるための規定された適切なアップリンクチャネルもないので、ＦＡＣＨの初期の送信電力が経路損失に関して適切に設定されることは現在のところ可能ではない。【解決手段】無線通信システムは、ダウンリンクチャネル上に情報信号を伝送し、アップリンクランダムアクセスパケットチャネルＲＡＣＨにおいて１つ又は複数の二次局から信号を受信する一次局を有する。前記二次局のうちの少なくとも１つが、アップリンクチャネルの現行の無線チャネル特性を示す標示を伝送することにより、伝送されるダウンリンク信号に電力制御が適用される。この標示は、ダウンリンク信号に電力制御を適用するために一次局により使用される。【選択図】図１
2011135595.tif 000002
【特許請求の範囲】
【請求項１】
１つ又は複数の二次局への一次局による伝送のためのダウンリンクチャネルと、前記二次局又はそれぞれの前記二次局から前記一次局への伝送のためのアップリンクランダムアクセスチャネルと、を有する無線通信システムを動作させる方法であって、前記二次局が、前記ランダムアクセスチャネル上にアップリンク信号を伝送して無線チャネル特性の標示を与え、前記一次局が、前記標示された無線チャネル特性を考慮に入れた電力レベル及び/又はビットレートで前記ダウンリンクチャネル上に信号を伝送することを含む方法。
【請求項２】
１つ又は複数の二次局への一次局による伝送のためのダウンリンクチャネルと、前記二次局又はそれぞれの前記二次局から前記一次局への伝送のためのアップリンクランダムアクセスチャネルと、を有する無線通信システムを動作させる方法であって、前記二次局が、前記ランダムアクセスチャネル上に、該ランダムアクセスチャネルの現行の無線チャネル特性を決定するために前記一次局により使用されることができるアップリンク信号を伝送し、前記一次局が、前記無線チャネル特性の決定に応じて、前記決定された無線チャネル特性を考慮に入れた電力レベル及び/又はビットレートで前記ダウンリンクチャネル上に信号を伝送することを含む方法。
【請求項３】
前記一次局が、送信される電力レベルの標示を含む信号を伝送し、前記信号を受信する二次局が、前記受信信号の強度を測定し、前記ダウンリンクのチャネル特性を決定し、前記ランダムアクセスチャネル上に前記チャネル特性の標示を含む信号を伝送することを特徴とする、請求項１又は請求項２に記載の方法。
【請求項４】
前記一次局が、送信される電力レベルの標示を含む信号を伝送し、前記信号を受信する二次局が、前記受信信号の強度を測定し、前記ランダムアクセスチャネル上に、前記受信信号強度の標示を含む信号を伝送することを特徴とする、請求項１又は請求項２に記載の方法。
【請求項５】
二次局は、前記一次局からの肯定応答信号が受信されるまで、連続的に増加する電力レベルでアクセスプリアンブル信号を再送し、前記二次局は、前記肯定応答信号の受信に応じて、肯定応答されたアクセスプリアンブル信号の特定の再送から現行の無線チャネル特性を決定するために前記一次局により使用されることができる標示を含むメッセージを伝送することを特徴とする、請求項１又は請求項２に記載の方法。
【請求項６】
二次局は、前記一次局からの肯定応答信号が受信されるまで、連続的に増加する電力レベルでアクセスプリアンブル信号を再送し、前記アクセスプリアンブル信号のそれぞれの伝送はその電力の標示を含み、前記一次局は、前記アクセスプリアンブル信号の最低送信電力の標示を記憶し、前記最低送信電力と、受信され肯定応答されたアクセスプリアンブル信号の電力との間の差を得ることにより前記チャネル特性を決定することができることを特徴とする、請求項１又は請求項２に記載の方法。
【請求項７】
前記チャネル特性が無線減衰特性を含むことを特徴とする、請求項１ないし請求項６のいずれか１項に記載の方法。
【請求項８】
二次局は、前記一次局により伝送される信号の信号対干渉比を決定し、前記決定された信号対干渉比の標示を、前記ランダムアクセスチャネル上に伝送される信号に含めることを特徴とする、請求項１又は請求項２に記載の方法。
【請求項９】
前記アップリンク信号が、前記ランダムアクセスチャネル信号のメッセージ部分を含むことを特徴とする、請求項１ないし請求項８のいずれか１項に記載の方法。
【請求項１０】
前記ランダムアクセスチャネルは、前記二次局によるアクセスプリアンブルの伝送を含み、前記アクセスプリアンブルは、複数の署名のうちの選択された１つを用いて符号化され、前記選択される署名は、通知されるべき量に従って選択されることを特徴とする、請求項１ないし請求項８のいずれか１項に記載の方法。
【請求項１１】
前記ランダムアクセスチャネルは、複数のアクセスサブチャネルを含み、アクセスサブチャネルは、通知されるべき量に従ってアクセスプリアンブルの伝送のために二次局により選択されることを特徴とする、請求項１ないし請求項８のいずれか１項に記載の方法。
【請求項１２】
前記ランダムアクセスチャネルは、ＣＤＭＡチャネルであり、アクセスプリアンブルの伝送は、通知されるべき量に対応する幾つかのチップ期間だけ時間的にオフセットされることを特徴とする、請求項１ないし請求項８のいずれか１項に記載の方法。
【請求項１３】
ダウンリンクチャネル上に信号を伝送する送受信手段をもつ一次局と、前記一次局に対しランダムアクセスチャネル上にアップリンク信号を伝送する送受信手段をもつ少なくとも１つの二次局と、を有する無線通信システムであって、前記二次局が、前記ランダムアクセスチャネルの現行の無線チャネル特性を決定し、これらの特性を前記一次局に伝送する手段を有し、前記一次局が、前記無線チャネル特性の受信に応じて、前記無線チャネル特性に依存してダウンリンク信号の電力レベル及び/又はビットレートを決定する手段を有する、無線通信システム。
【請求項１４】
前記二次局又はそれぞれの前記二次局は、ＣＤＭＡ信号としてアクセスプリアンブル信号を伝送するための符号化手段を有し、前記符号化手段は、前記無線チャネル特性に対応する幾つかのチップ期間だけアクセスプリアンブル信号を時間的にオフセットする信号オフセット手段を有することを特徴とする、請求項１３に記載のシステム。
【請求項１５】
一次局からダウンリンク信号を受信し、ランダムアクセスチャネル上にアップリンク信号を伝送する送受信手段と、前記ランダムアクセスチャネルの現行の無線チャネル特性を決定し、これらの特性を前記一次局に伝送する手段と、を有する二次局。
【請求項１６】
前記二次局は更に、ＣＤＭＡ信号としてアクセスプリアンブル信号を伝送するための符号化手段を有し、前記符号化手段は、前記無線チャネル特性に対応する幾つかのチップ期間だけアクセスプリアンブル信号を時間的にオフセットする信号オフセット手段を有することを特徴とする、請求項１５に記載の二次局。
【請求項１７】
少なくとも１つの二次局に対しダウンリンクチャネル上に信号を伝送し、ランダムアクセスチャネルの現行の無線チャネル特性を決定するために使用可能な標示となるものを含むアップリンクランダムアクセスチャネル信号を受信する送受信手段と、前記標示となるものに応じて、前記少なくとも１つの二次局にダウンリンク信号を伝送するための電力レベル及び/又はビットレートを決定する手段と、を有する一次局。
【請求項１８】
前記アップリンク信号が、ＣＤＭＡアクセスプリアンブル信号を含み、前記標示となるものが、基準時間に対する前記アクセスプリアンブル信号のタイミングオフセットを含む、請求項１７に記載の一次局であって、前記一次局が、前記タイミングオフセットを決定し、前記タイミングオフセットに従って前記送信電力レベルを調整する手段を有することを特徴とする、一次局。
【発明の詳細な説明】
【技術分野】
【０００１】
本発明は、１つ又は複数の二次局への一次局による伝送のためのダウンリンクフォワードアクセス制御チャネル（ＦＡＣＨ）と、前記二次局のうちの少なくとも１つから一次局への伝送のためのアップリンクランダムアクセスチャネルと、を有する無線通信システムに関し、更に、このようなシステムにおいて用いる一次局及び二次局と、このようなシステムを動作させる方法とにも関する。本明細書は、とりわけ先端のユニバーサル移動電話システム（ＵＭＴＳ）に関するシステムについて記載しているが、記載されている技術は、他の移動式無線システムにおける使用に等しく適用可能であることを理解されたい。この明細書において、ランダムアクセスパケットチャネルという用語は、ランダムアクセスパケット伝送が行われる論理チャネルを指し、前記ランダムアクセスパケットチャネルは、典型的には多数の異なる物理チャネルを含む。
【背景技術】
【０００２】
ＵＭＴＳのようなＣＤＭＡシステムにおいて、電力制御は、当該伝送における許容できる誤り率を維持しつつ、他の伝送にもたらされる干渉を最小限にするために重要である。
【０００３】
無線チャネルの近似の経路損失（及び好適には受信器における干渉レベル）が分かっている場合、受信器における所望の信号対干渉比（ＳＩＲ）を近似的に与えるために、新しい伝送の初期送信電力が設定されうる。経路損失及び干渉は、無線チャンネルの特性と考えることができる。
【０００４】
これは、例えばＵＭＴＳ周波数分割複信（ＦＤＤ）モードにおいて、アップリンク専用チャネル（ＤＣＨ）の初期の送信電力を設定する際に使用される。この場合、ダウンリンクの共通パイロットチャネル（ＣＰＩＣＨ）の送信電力が二次局（ＵＭＴＳではユーザ装置ＵＥと呼ばれる）に知らされる。二次局は、受信電力を測定し、これらの２つの値を使用して近似のダウンリンク経路損失を計算する。これは、アップリンク経路損失の近似的評価を与えるために仮定されるものであり、これにより新しいアップリンク伝送が、評価されたアップリンク経路損失の適切な関数である電力で開始されることを可能にする。
【発明の概要】
【発明が解決しようとする課題】
【０００５】
ＵＭＴＳ仕様において、フォワードアクセスチャネル（ＦＡＣＨ）は、ユーザ装置ＵＥへの通知情報を含む情報を運ぶために使用される共通ダウンリンクチャネルの一例である。しかしながら、一次局が測定するための連続するアップリンクチャネルがなく、一次局にダウンリンク経路損失又はユーザ装置ＵＥの送信電力を知らせるための規定された適切なアップリンクチャネルもないので、ＦＡＣＨの初期の送信電力が経路損失に関して適切に設定されることは現在のところ可能ではない。
【０００６】
本発明の目的は、相補的なアップリンクチャネルをもたないダウンリンクチャネル上の一次局の初期の送信電力又はビットレートを制御することである。
【課題を解決するための手段】
【０００７】
本発明の第１の側面により、１つ又は複数の二次局への一次局による伝送のためのダウンリンクチャネルと、前記二次局又はそれぞれの前記二次局から前記一次局への伝送のためのアップリンクランダムアクセスチャネルと、を有する無線通信システムを動作させる方法であって、前記二次局が、前記ランダムアクセスチャネル上にアップリンク信号を伝送して無線チャネル特性の標示を与え、前記一次局が、標示された前記無線チャネル特性を考慮に入れた電力レベル及び／又はビットレートで前記ダウンリンクチャネル上に信号を伝送することを含む方法が提供される。
【０００８】
本発明の第２の側面により、１つ又は複数の二次局への一次局による伝送のためのダウンリンクチャネルと、前記二次局又はそれぞれの前記二次局から前記一次局への伝送のためのアップリンクランダムアクセスチャネルと、を有する無線通信システムを動作させる方法であって、前記二次局が、前記ランダムアクセスチャネル上に、前記ランダムアクセスチャネルの現行の無線チャネル特性を決定するために前記一次局により使用されることができるアップリンク信号を伝送し、前記一次局が、前記無線チャネル特性の決定に応じて、決定された該無線チャネル特性を考慮に入れた電力レベル及び／又はビットレートで前記ダウンリンクチャネル上に信号を伝送することを含む方法が提供される。
【０００９】
本発明の第３の側面により、ダウンリンクチャネル上に信号を伝送する送受信手段をもつ一次局と、前記一次局に対しランダムアクセスチャネル上にアップリンク信号を伝送する送受信手段をもつ少なくとも１つの二次局と、を有する無線通信システムであって、前記二次局が、前記ランダムアクセスチャネルの現行の無線チャネル特性を決定し、これらの特性を前記一次局に伝送する手段を有し、前記一次局が、前記無線チャネル特性の受信に応じて、前記無線チャネル特性に依存してダウンリンク信号の電力レベル及び／又はビットレートを決定する手段を有する、無線通信システムが提供される。
【００１０】
本発明の第４の側面により、一次局からダウンリンク信号を受信し、ランダムアクセスチャネル上にアップリンク信号を伝送する送受信手段と、前記ランダムアクセスチャネルの現行の無線チャネル特性を決定し、これらの特性を前記一次局に伝送する手段と、を有する二次局が提供される。
【００１１】
本発明の第５の側面により、少なくとも１つの二次局に対しダウンリンクチャネル上に信号を伝送し、ランダムアクセスチャネルの現行の無線チャネル特性を決定するために使用可能な標示となるもの(indicia)を含むアップリンクランダムアクセスチャネル信号を受信する送受信手段と、前記標示となるものに応じて、前記少なくとも１つの二次局にダウンリンク信号を伝送するための電力レベル及び／又はビットレートを決定する手段と、を有する一次局が提供される。
【図面の簡単な説明】
【００１２】
【図１】無線通信システムのブロック概略図。
【図２】アップリンク及びダウンリンクチャネル上の信号伝送を示す図。
【図３】一次局がＦＡＣＨチャネルの送信電力を設定するプロセスを示すフローチャート。
【図４】電力レベル／チャネル減衰特性を送信するためにタイミングオフセットを使用する一例を示す図。
【発明を実施するための形態】
【００１３】
以下、本発明の実施例について添付の図面を参照して例示により説明する。
【００１４】
添付図面において、同一参照符号は、対応する特徴を示すために用いられている。
【００１５】
図１を参照して、無線通信システムは、一次局（ＢＳ）１００と、一次局のカバレージエリア内でローミング可能な複数の二次局（ＭＳ）１１０とを有する。ＢＳ１００は、マイクロコントローラ（μＣ）１０２と、アンテナ１０６のような信号伝搬/受信手段に接続される送受信手段（Ｔｘ／Ｒｘ）１０４と、送信される電力レベルを変える電力制御手段（ＰＣ）１０７と、ＰＳＴＮ又は他の適切なネットワークに対する接続のための接続手段１０８とを有する。各ＭＳ１１０は、マイクロコントローラ（μＣ）１１２と、アンテナ１１６のような信号伝搬/受信手段に接続される送受信手段（Ｔｘ／Ｒｘ）１１４と、送信される電力レベルを変える電力制御手段（ＰＣ）１１８とを有する。ＢＳ１００からＭＳ１１０への通信はダウンリンクチャネル１２２において行われ、ＭＳ１１０からＢＳ１００への通信はアップリンクチャネル１２４において行われる。
【００１６】
ＵＭＴＳにおいて、一次局１００と二次局１１０との間にはいくつかの通信チャネルがある。非専用チャネルの中には、一次局からのダウンリンクチャネルであり且つ個々の二次局１１０、二次局のグループ、又は二次局の人口全体への通知情報を含む情報を運ぶために使用されるＦＡＣＨがある。
【００１７】
別の非専用チャネルには、二次局が一次局に対しアップリンク上にショートメッセージを送信することを可能にするランダムアクセスチャネル（ＲＡＣＨ）がある。このようなショートメッセージは、二次局がオンにされるときを一次局に通知し、二次局が話中になりえる又はなりえないときに一次局にデータのパケットを送信し、二次局が使用するための資源（例えば専用ボイスチャネル）を割り当てるように一次局に要求することを含んでもよい。
【００１８】
ＦＡＣＨダウンリンクチャネルは、多くの場合ＲＡＣＨアップリンクチャネルと共に使用され、それによってショートＲＡＣＨメッセージは、ダウンリンク上のＦＡＣＨメッセージより前にアップリンク上に伝送される。
【００１９】
図２は、説明の都合上、ダウンリンクチャネル１２２及びアップリンクランダムアクセスチャネルＲＡＣＨ１２４を有するＣＤＭＡ ＦＤＤシステムにおいて動作するＲＡＣＨの基本方式を示している。ＲＡＣＨ伝送は、評価されたダウンリンク経路損失及びネットワークにより与えられるオフセットの関数として計算される電力の１．０６７ｍｓのアクセスプリアンブル（ＡＰ）２０２Ａで始まる。二次局が、ＡＰ２０２Ａの肯定応答ＡＣＫを受信しない場合、二次局は、第１の電力よりもネットワークにより設定された予め決められた量だけ高い送信電力でＡＰ２０２Ｂを繰り返す。ＡＰが肯定応答されるか、又はプロセスがアボートされるまで、二次局は、電力を増加させながらＡＰを繰り返し続ける。ＡＰ２０２Ｂが肯定応答されると（２０６）、二次局は、最後のＡＰ２０２Ｂの電力よりもネットワークによりあらかじめ決められた量だけ高い電力で、ショート（１０ｍｓ又は２０ｍｓ）メッセージＰＫＴを伝送する。
【００２０】
一次局は、二次局により評価されたダウンリンク経路損失の値を知らず、何個のアクセスプリアンブルが伝送されたかについても知らないので、一次局は、受信したＲＡＣＨ伝送からアップリンク経路損失を評価することができない。
【００２１】
従って、一次局は、あとに続くＦＡＣＨメッセージ２２０の初期の送信電力を、現行の経路損失を補償するための適切な値に設定することができない。
【００２２】
本発明による方法は、一次局がダウンリンク経路損失を評価し、ＦＡＣＨの初期電力を適切に設定することができるように、一次局１００にダウンリンク経路損失又はＲＡＣＨ伝送の送信電力を知らせるための手段を二次局１１０に設ける。任意に、一次局１００は、それらの個々の範囲及び経路損失を考慮するためにそれぞれ異なる二次局について予定される伝送ビットの電力を独立して制御してもよい。
【００２３】
ＲＡＣＨについて、アクセスプリアンブルにおいて送信電力が通知される場合、ダウンリンク経路損失は、アクセスプリアンブルの再送の数を付加的に知ることにより導き出すことができる。ここで、第１のプリアンブル伝送の電力は、一次局の送信電力及び測定されたダウンリンク経路損失からのあらかじめ決められた電力オフセットにより導き出され、それゆえ第１のアクセスプリアンブル伝送の電力を知ることにより電力損失が与えられる。従って、これは、再送の数及び各伝送の電力ステップを知ることにより最終のアクセスプリアンブル伝送の電力から導き出すことができる。
【００２４】
いくつかのケースでは、アップリンク及びダウンリンク上の高速フェージング、及び測定又は他のインプリメンテーションエラーにより、エラーが導かれることがある。
【００２５】
一次局１００と選択された二次局１１０との間の信号経路の無線チャネル特性を決定するために使用されうる他の方法には次のものがある。（ａ）一次局が、伝送されるダウンリンクメッセージにその送信電力レベルを含ませ、二次局が、受信信号強度を測定し、アップリンク信号（例えばアクセスプリアンブル）に含めることができるチャネル特性を決定する。（ｂ）（ａ）の変形として、二次局が、単にアップリンク信号に受信信号強度の標示を含ませ、減衰特性が、一次局により決定される。（ｃ）二次局が、ダウンリンクメッセージのＳＩＲを決定し、例えばアクセスプリアンブル又はＲＡＣＨのメッセージ部分（ＰＫＴ）のような信号において決定されたＳＩＲを中継する。
【００２６】
図３は、図２に示す信号の送信及び処理に伴う動作シーケンスのフローチャートを示している。フローチャートは、二次局１１０がＲＡＣＨ上に低電力でアクセスプリアンブル（ＡＰ）を伝送することを表すブロック３００から始まる。ブロック３０２において、二次局は、ダウンリンクにおいて肯定応答ＡＣＫをリッスンする。ブロック３０４は、二次局がＡＣＫを受け取ったかどうかを判断することに関連する。答えがいいえ（Ｎ）である場合、ブロック３０６において、二次局はその送信器電力を増やす。これにより、ブロック３００において、ＡＰは、より高い電力で伝送される。答えがはい（Ｙ）である場合、ブロック３０８において、二次局は、受信に成功したＡＰより高い電力でデータパケットを伝送する。ブロック３１０は、チャネル減衰特性を評価することを示す。このチャネル減衰特性は、ブロック３１２において、一次局がその送信器電力を調整するために使用される。最後に、ブロック３１４において、一次局が、ＦＡＣＨ上にデータパケットを伝送する。
【００２７】
理想的には、ダウンリンク経路損失、初期の送信電力、現在の送信電力又はＡＰの再送の数のうちの１つ又は複数の伝送は、システムの通知オーバヘッドを大幅に増加させないやり方で実行される。
【００２８】
ＵＭＴＳの場合、以下の方法のうちの１つ又は複数のものを使用することができる。第１に、例えばＰＫＴのようなＲＡＣＨのメッセージ部分において通知する方法であり、第２に、通知される量に対応する幾つかのチップ期間だけそれぞれのＡＰを時間的にオフセットする方法であり、第３に、例えば１２個のランダムアクセスサブチャネルのような複数のアクセスサブチャネルを生成し、通知される量に従ってアクセスサブチャネルのうちの１つを選択する方法であり、第４に、例えば１６個の署名のような複数の符号化署名をＲＡＣＨ上のリクエストに割り当て、通知される量に従ってＡＰのために署名のうちの特定のものを選択する方法である。
【００２９】
サブチャネル及び／又は署名の選択は、前の段落に与えられている数を使用して１９６個までの組み合わせを与える。時間オフセットを使用することは、システムの通知オーバヘッドを大幅に増加させることなく、電力／チャネル情報のみならず他の情報をも送信するための組み合わせの数を大幅に増加させる。
【００３０】
図４は、時間オフセットが如何にして実現されうるかを説明するための一例を示している。アクセスプリアンブル２０２Ａの伝送の時間は、アクセススロットの境界３０２（それ自体ＢＳ１００により伝送されるタイミング信号に対して規定される）を基準にしてＴｏｆｆだけオフセットすることができる。アクセスプリアンブル２０２Ａ、２０２Ｂは４０９６チップを含み、アクセススロットの長さは５１２０チップである。２５６チップの倍数のタイミングオフセットＴｏｆｆを許すことにより、どのスロットがアクセスプリアンブル２０２Ａ、２０２Ｂを収容したかについての曖昧さをもたらすことなく、Ｔｏｆｆの１９個までの異なる非零値が可能である。Ｔｏｆｆ＝０である場合、システムの振る舞いは、タイミングオフセットの可能性のないシステムの振る舞いと同一であり、それによりタイミングオフセットを処理する能力をもたないＭＳ１１０との後方互換を可能にする。
【００３１】
伝送のいかなる遅延も、ＢＳ１００は、適切なタイムスロットにおいてアクセス肯定応答ＡＣＫ２０６を伝送するために時間内にプリアンブルを検出することができなくなることを意味するので、タイミングオフセットＴｏｆｆは、アクセスプリアンブル２０２Ａ、２０２Ｂの伝送時間を早めることが好ましい。
【００３２】
好ましくは、ダウンリンクチャネル１２２にはタイミングオフセットがなく、アクセスプリアンブル２０２Ａ、２０２Ｂの肯定応答２０６は、使用されるタイミングオフセットにかかわらず同一である。
【００３３】
より多くの通知の組み合わせ（ここに記述する実施例においては１９倍多い）の利用可能性は、より一層効率的な資源割り当てを可能にする。例えばチャネル割り当ての場合、署名の数よりも多くのビットレートが利用可能になる。更に、一般的に多くのＭＳ１１０により同じビットレートが要求される場合においてともすれば許容できなくなりえる衝突可能性を低下させる。
【００３４】
通知される量の範囲は、時間オフセット、サブチャネル、及び通知される量の知らせに割り当てられる署名の数に依存して、多くのあらかじめ決められた範囲に量子化されることができる。
【００３５】
（初期又は現在の）送信電力を送信するために異なる時間オフセットを使用する例において、２つの範囲のどちらに上記の量が入るかを示すために、２つのオフセットが使用される。以下に例を示す。
【表１】
2011135595.tif 000003
【００３６】
他の例として、送信電力レベルを示すために、オフセットの組を使用することができる。この方法は、それぞれの組の中のオフセットが他の通知のために使用されることを可能にする。
【表２】
2011135595.tif 000004
【００３７】
同様に、ＴｘＰｗｒ＜−２０ｄＢｍ、−２０ｄＢｍ≦ＴｘＰｗｒ＜０ｄＢｍ、ＯｄＢｍ≦ＴｘＰｗｒ等のより狭い範囲に送信電力を量子化することにより、より正確に送信電力が一次局に知らされることができる。
【００３８】
別の実現例において、ＡＰの再送の数又は現在の電力のような量についても、それぞれの続いて起こる再送に関してＡＰの時間オフセットを増加させることにより又は調整することにより一次局に知らせることができる。
【００３９】
他の実現例において、ＲＡＣＨメッセージパケットＰＫＴ内の少数の通知ビットにより、ＡＰ送信電力のような測定量をＢＳに知らせることができる。
【００４０】
同様のプロシージャは、ＦＡＣＨ以外のチャネルにも適用することができる。このようなプロシージャは、ＲＡＣＨの（又はＲＡＣＨのような）アクセスプリアンブル伝送に先行する例えばＤＰＣＨ又はＣＰＣＨメッセージ部分のようなダウンリンクチャネルの初期電力にも適用することができる。
【００４１】
本発明による方法は、ＦＤＤ（周波数分割複信）、ＴＤＤ（時分割複信）、ＣＤＭＡ、ＴＤＭＡ及び／又はＣＤＭＡ／ＴＤＭＡ／ＦＤＭＡシステムに適用してもよい。
【００４２】
特定の記述は、ＦＡＣＨの送信電力を調整することに言及しているが、初期のビットレートもまた送信電力と共に選択される。
【００４３】
本明細書及び請求項において、単数形で表現されている構成要素は係る構成要素の複数の存在を除外しない。更に、「有する、含む」という語は、挙げられているもの以外の他の構成要素又はステップの存在を除外しない。
【００４４】
本開示を読むことにより、当業者には他の変形例が明らかとなるであろう。そのような変形例は、無線通信システム及び該無線通信システムの構成要素の設計、製造並びに使用において既知であるとともに、上述した特徴の代わりに又はそれらに追加して使用することができるような他の特徴を含んでもよい。本出願においては請求項は特定の特徴の組み合わせに対して記載されているが、本出願の開示の範囲は、何れかの請求項において現在記載されている発明と同一の発明に関するものであるか否かにかかわらず、また、本発明が解決するものと同一の課題の何れか又は全てを解決するか否かにかかわらず、本明細書に明示的に又は暗示的に開示された如何なる新規な特徴若しくはこれら特徴の如何なる新規な組み合わせ又はそれらの如何なる一般化をも含むものと理解されるべきである。出願人は、このような特徴及び／又はそれらの特徴の組み合わせに関しても、本出願又は本出願から派生する全ての他の出願の係属中に、新しい請求項が記載されうることを述べておく。
【図１】
2011135595.tif 000005
【図２】
2011135595.tif 000006
【図３】
2011135595.tif 000007
【図４】
2011135595.tif 000008
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
１つ又は複数の二次局への一次局による伝送のためのダウンリンクチャネルと、前記二次局又はそれぞれの前記二次局から前記一次局への伝送のためのアップリンクランダムアクセスチャネルと、を有する無線通信システムを動作させる方法であって、前記二次局が、前記ランダムアクセスチャネル上にアップリンク信号を伝送してダウンリンクチャネル特性の標示を与え、当該アップリング信号の伝送が、複数の署名から選択された署名により符号化されたアクセスプリアンブルを伝送することを含み、前記選択された署名は、前記ダウンリンクチャネル特性に従って選択され、前記一次局が、少なくとも部分的に前記選択された署名により示された前記ダウンリンクチャネル特性を考慮に入れた電力レベル及び/又はビットレートで前記ダウンリンクチャネル上に信号を伝送することを含む方法。
【請求項２】
１つ又は複数の二次局への一次局による伝送のためのダウンリンクチャネルと、前記二次局又はそれぞれの前記二次局から前記一次局への伝送のためのアップリンクランダムアクセスチャネルと、を有する無線通信システムを動作させる方法であって、前記二次局が、前記ランダムアクセスチャネル上でアップリンク信号を伝送し、前記アップリンク信号の伝送は、前記二次局によるアクセスプリアンブルの伝送を含み、前記アクセスプリアンブルは、複数の署名から選択された署名により符号化され、前記選択された署名は、通知されるべき量に従って選択され、前記アップリンク信号は、通知された前記量を用いて前記ランダムアクセスチャネルの現行の無線チャネル特性を決定するために前記一次局により使用されることができ、前記一次局が、前記無線チャネル特性の決定に応じて、前記決定された無線チャネル特性を考慮に入れた電力レベル及び/又はビットレートで前記ダウンリンクチャネル上に信号を伝送することを含む方法。
【請求項３】
前記一次局が、送信される電力レベルの標示を含む信号を伝送し、前記信号を受信する二次局が、前記受信信号の強度を測定し、前記ダウンリンクのチャネル特性を決定し、前記ランダムアクセスチャネル上に前記チャネル特性の標示を含む信号を伝送することを特徴とする、請求項１に記載の方法。
【請求項４】
前記一次局が、送信される電力レベルの標示を含む信号を伝送し、前記信号を受信する二次局が、前記受信信号の強度を測定し、前記ランダムアクセスチャネル上に、前記受信信号強度の標示を含む信号を伝送することを特徴とする、請求項２に記載の方法。
【請求項５】
二次局は、前記一次局からの肯定応答信号が受信されるまで、連続的に増加する電力レベルでアクセスプリアンブル信号を再送し、前記二次局は、前記肯定応答信号の受信に応じて、肯定応答されたアクセスプリアンブル信号の特定の再送から現行のアップリンクランダムアクセスチャネル特性を決定するために前記一次局により使用されることができる標示を含むメッセージを伝送することを特徴とする、請求項２に記載の方法。
【請求項６】
二次局は、前記一次局からの肯定応答信号が受信されるまで、連続的に増加する電力レベルでアクセスプリアンブル信号を再送し、前記アクセスプリアンブル信号のそれぞれの伝送はその電力の標示を含むことを特徴とする、請求項２に記載の方法。
【請求項７】
前記アップリンクランダムアクセスチャネル特性が無線減衰特性を含むことを特徴とする、請求項２、請求項４から請求項６のいずれか１項に記載の方法。
【請求項８】
前記ダウンリンクチャネル特性が無線減衰特性を含むことを特徴とする、請求項１又は請求項３に記載の方法。
【請求項９】
二次局は、前記一次局により伝送される信号の信号対干渉比を決定し、前記決定された信号対干渉比の標示を、前記ランダムアクセスチャネル上に伝送される信号に含めることを特徴とする、請求項１又は請求項２に記載の方法。
【請求項１０】
前記アップリンク信号が、前記ランダムアクセスチャネル信号のメッセージ部分を含むことを特徴とする、請求項１ないし請求項９のいずれか１項に記載の方法。
【請求項１１】
前記ランダムアクセスチャネルは、複数のアクセスサブチャネルを含み、アクセスサブチャネルは、通知されるべき量に従ってアクセスプリアンブルの伝送のために二次局により選択されることを特徴とする、請求項１ないし請求項９のいずれか１項に記載の方法。
【請求項１２】
前記ランダムアクセスチャネルは、ＣＤＭＡチャネルであり、アクセスプリアンブルの伝送は、通知されるべき量に対応する幾つかのチップ期間だけ時間的にオフセットされることを特徴とする、請求項１ないし請求項９のいずれか１項に記載の方法。
【請求項１３】
ダウンリンクチャネル上に信号を伝送する送受信手段をもつ一次局と、前記一次局に対しランダムアクセスチャネル上にアップリンク信号を伝送する送受信手段をもつ少なくとも１つの二次局と、を有する無線通信システムであって、前記二次局が、前記ランダムアクセスチャネルの現行の無線チャネル特性を決定し、前記ランダムアクセスチャネル上にアクセスプリアンブルを伝送することにより、これらの特性を前記一次局に伝送する手段を有し、前記アクセスプリアンブルは、複数の署名から選択された署名により符号化され、前記選択された署名は、通知されるべきランダムアクセスチャネル特性に従って選択され、前記一次局が、前記ダウンリンクチャネル特性の受信に応じて、前記ダウンリンクチャネル特性に依存してダウンリンク信号の電力レベル及び/又はビットレートを決定する手段を有する、無線通信システム。
【請求項１４】
前記二次局又はそれぞれの前記二次局は、ＣＤＭＡ信号としてアクセスプリアンブル信号を伝送するための符号化手段を有し、前記符号化手段は、前記無線チャネル特性に対応する幾つかのチップ期間だけアクセスプリアンブル信号を時間的にオフセットする信号オフセット手段を有することを特徴とする、請求項１３に記載のシステム。
【請求項１５】
一次局からダウンリンク信号を受信し、ランダムアクセスチャネル上にアップリンク信号を伝送する送受信手段と、前記ランダムアクセスチャネルの現行の無線チャネル特性を決定し、これらの特性を前記一次局に伝送する手段と、を有し、
前記これらの特性を前記一次局に伝送する手段は、前記ランダムアクセスチャネル上にアクセスプリアンブルを伝送し、前記アクセスプリアンブルは、複数の署名から選択された署名により符号化され、前記選択された署名は、通知されるべきランダムアクセスチャネル特性に従って選択される、二次局。
【請求項１６】
前記二次局は更に、ＣＤＭＡ信号としてアクセスプリアンブル信号を伝送するための符号化手段を有し、前記符号化手段は、前記無線チャネル特性に対応する幾つかのチップ期間だけアクセスプリアンブル信号を時間的にオフセットする信号オフセット手段を有することを特徴とする、請求項１５に記載の二次局。
【請求項１７】
少なくとも１つの二次局に対しダウンリンクチャネル上に信号を伝送し、ランダムアクセスチャネルの現行の無線チャネル特性を決定するために使用可能な標示となるものを含むアップリンクランダムアクセスチャネル信号を受信する送受信手段と、前記標示となるものに応じて、前記少なくとも１つの二次局にダウンリンク信号を伝送するための電力レベル及び/又はビットレートを決定する手段と、を有し、
前記標示は、前記ランダムアクセスチャネル上のアクセスプリアンブルを符号化するために用いられる複数の署名のうちの１つの選択を含む、一次局。
【請求項１８】
前記アップリンク信号が、ＣＤＭＡアクセスプリアンブル信号を含み、前記標示となるものが、基準時間に対する前記アクセスプリアンブル信号のタイミングオフセットを含む、請求項１７に記載の一次局であって、前記一次局が、前記タイミングオフセットを決定し、前記タイミングオフセットに従って前記送信電力レベルを調整する手段を有することを特徴とする、一次局。
【外国語明細書】
2011135595000001.pdf